(57)【要約】【課題】天板の上部に固定される混合水栓と、天板の下部で左右の間隔を設けて立ち上がる水側通水管及び湯側通水管とを、天板に穿設された取付孔を挿通する給水配管と給湯配管とにより接続するようにした混合水栓の配管接続構造において、給水配管及び給湯配管を折り曲げなくても、混合水栓と通水管とを天板の下部で容易に接続できるようにする。【解決手段】給水配管１２と給湯配管１３は、入口孔１２ａ，１３ａと出口孔１２ｂ，１３ｂとの軸心が異なるように形成し、混合水栓３に対し回転自在に装着した。【選択図】　図２
2004019254.tif 000002
【特許請求の範囲】
【請求項１】
天板の上部に固定される混合水栓と、天板の下部で左右の間隔を設けて立ち上がる水側通水管及び湯側通水管とを、天板に穿設された取付孔を挿通する給水配管と給湯配管とにより接続するようにした混合水栓の配管接続構造において、前記給水配管と給湯配管は入口孔と出口孔との軸心が異なるように形成し、混合水栓に対し回転自在に装着したことを特徴とする混合水栓の配管接続構造。
【請求項２】
前記給水配管と給湯配管は、入口孔と出口孔との間に折曲部を形成したことを特徴とする請求項１記載の混合水栓の配管接続構造。
【請求項３】
前記給水配管と給湯配管は、剛性の高い金属管からなることを特徴とする請求項１又は２記載の混合水栓の配管接続構造。
【請求項４】
前記給水配管と給湯配管は、互いに接近させた状態で天板の取付孔を挿通自在で、天板の下部から回転させることで、互いに入口孔の間隔を広げられることを特徴とする請求項１乃至３の何れかに記載の混合水栓の配管接続構造。
【発明の詳細な説明】
【０００１】
【発明の属する技術分野】
この発明は、流し台，洗面台等で天板に固定される混合水栓における、給水配管，給湯配管の接続構造に関する。
【０００２】
【従来の技術】
従来、流し台や洗面台等で天板に固定される混合水栓は、天板に穿設された取付孔に給水配管及び給湯配管を挿通させて、両配管は天板の下部で水側通水管，湯側通水管と管継手によりそれぞれ接続していた。このような混合水栓として公知のものに、図８及び図９のものがある。この図８及び図９について簡単に説明すると、混合水栓５２は底部５３にボルト５４が固定され、該ボルト５４を天板５０に穿設された取付孔５１に挿通すると共に、天板５０の下側からボルト５４に馬蹄形状の固定金具５５を挿通してナット５６をボルト５４に螺合している。そして、固定金具５５と混合水栓５２の底部５３により天板５０の上下面を挟着して、混合水栓５２は天板５０に固定される。
【０００３】
前記混合水栓５２の底部５３には、給水配管５７と給湯配管５８とが結合され、各配管５７，５８の他端は天板５０の下部で、管継手５９，５９及びクリップ６０，６０を介して、水側通水管６１及び湯側通水管６２に接続される。
【０００４】
上記混合水栓の場合、天板の下部に配置される水用，湯用の両管継手は、接続の際に互いに干渉しないように、ある程度左右に間隔を設ける必要があるので、給水配管及び給湯配管は天板の取付孔を挿通させるため、両配管が余裕をもって通過できるように取付孔の径を大径にするか、又は両配管を互いに接近させた状態で取付孔を挿通させた後に、天板の下部で互いの管継手の位置に合わせて大きく折り曲げる必要がある。
【０００５】
しかしながら、混合水栓に合わせて取付孔の径を大径に変更するのは、作業に手間のかかるものであり、さらに、各配管は樹脂管であれば容易に折り曲げることができるが、樹脂管は耐圧性，耐久性の面で信頼性が低い。また、各配管は剛性の高い材質で肉厚のある例えば金属管とするのが好ましいが、金属管は工具を使用しないで大きく折り曲げるのは容易ではないうえ、無理に折り曲げると変形して水又は湯が通過する流路が狭くなってしまい、通水量が減少し、希望する温度及び流量の湯水を設定どおりに吐水できなくなる等の問題があった。
【０００６】
【発明が解決しようとする課題】
本発明が解決しようとする課題は、天板の上部に固定される混合水栓と、天板の下部で左右の間隔を設けて立ち上がる水側通水管及び湯側通水管とを、天板に穿設された取付孔を挿通する給水配管と給湯配管とにより接続するようにした混合水栓の配管接続構造において、給水配管及び給湯配管を折り曲げなくても、混合水栓と各通水管とを天板の下部で容易に接続できるようにすることである。
【０００７】
【課題を解決するための手段】
本発明は請求項１では、天板の上部に固定される混合水栓と、天板の下部で左右の間隔を設けて立ち上がる水側通水管及び湯側通水管とを、天板に穿設された取付孔を挿通する給水配管と給湯配管とにより接続するようにした混合水栓の配管接続構造において、前記給水配管と給湯配管は入口孔と出口孔との軸心が異なるように形成し、混合水栓に対し回転自在に装着したものである。
【０００８】
請求項２では、前記給水配管と給湯配管は、入口孔と出口孔との間に折曲部を形成したものである。
【０００９】
請求項３では、前記給水配管と給湯配管は、剛性の高い金属管からなるものである。
【００１０】
請求項４では、前記給水配管と給湯配管は、互いに接近させた状態で天板の取付孔を挿通自在で、天板の下部から回転させることで、互いに入口孔の間隔を広げられるものである。
【００１１】
【発明の実施の形態】
以下、本発明の実施の形態を図に基づいて詳細に説明する。
本発明は図１に示すように、洗面台や流し台等の天板１の上部に固定される混合水栓３は、縦長の円筒形に形成された本体４と、該本体４の上部に取り付けられ湯水の温度及び流量を調節するためのレバー５と、本体４に対し水平方向に回転自在に外嵌して、レバー５により調節された湯水を外部へ吐水する吐水管６とを備え、後述する給水配管１２及び給湯配管１３から供給される水と湯を、固定板と可動板とを備えた混合部８により混合して湯水の流量及び温度を調節し、前記吐水管６の先端に設けられた吐水口７から湯水を外部へ供給可能としたものである。
【００１２】
前記混合水栓３の本体４は図２及び図３に示すように、天板１と向かい合う底面部９の内部には、前記混合部８と連通する円形の連結部１０が水平方向に形成されており、該連結部１０には本体４の内部の水通路と連通している水孔１０ａと湯通路と連通している湯孔１０ｂとが併設して穿設され、水孔１０ａ及び湯孔１０ｂと隣接してボルト１１を螺着するための小孔１０ｃが穿設され、さらに該小孔１０ｃと向かい合わせて螺子孔１０ｄが穿設されている。
【００１３】
前記給水配管１２，給湯配管１３は、耐圧性，耐久性，剛性に優れた銅管，真鍮，その他の金属管からなり、本体４の連結部１０に穿設された水孔１０ａ，湯孔１０ｂに挿入される側の端部外周に円筒状の接続部材１４を固着し、該接続部材１４の外周面には先端から軸心方向に所定の間隔を設けて、Ｏリング，パッキン等の弾性変形するシール部材１４ａ，１４ａが装着され、該シール部材１４ａ，１４ａと併設して抜止溝１４ｂが環状に形成されている。
【００１４】
従って、給水配管１２，給湯配管１３は前記本体４の連結部１０に穿設された水用及び湯用の各孔１０ａ，１０ｂに、水密的にかつ回転自在に装着可能であり、この場合、接続部材１４にはシール部材１４ａ，１４ａが軸心方向に所定の間隔を設けて２つ装着されているので、配管１２，１３を各孔１０ａ，１０ｂへ挿入する際に所定の位置まで傾くことなくスムーズに差し込むことができ、しかも複数個のシール部材１４ａ，１４ａで、水，湯の各孔１０ａ，１０ｂの内周面に水密的に密着して、本体４とのシールが確実となるようにしている。
【００１５】
抜止部材１５は全体が略円形の板状に形成されて、各配管１２，１３の接続部材１４，１４に形成されている抜止溝１４ｂに嵌合する略Ｕ字状の保持孔１５ａ，１５ａが、互いに向かい合わせて一対穿設され、また該保持孔１５ａ，１５ａに隣接してボルト１１が挿通する挿通孔１５ｂが穿設され、保持孔１５ａの幅は接続部材１４の外径より僅かに小径であるので、各配管１２，１３の抜止溝１４ｂを側方から各保持孔１５ａ，１５ａへ係合させれば、配管１２，１３は抜止溝１４ｂから上下へ移動しないように保持可能である。また、抜止部材１５の一端には、抜止部材１５を前記連結部１０に固定するためのナット１５ｄを挿通する小孔１５ｃが穿設され、ナット１５ｄを小孔１５ｃに挿通した後に、連結部１０の螺子孔１０ｄに螺着することにより、抜止部材１５を連結部１０に固定可能である。
【００１６】
従って、抜止部材１５は給水配管１２及び給湯配管１３を各保持孔１５ａ，１５ａに保持して上下へ移動しないようにした状態で、本体４の連結部１０に固定すると、各配管１２，１３は連結部１０の水孔１０ａ，湯孔１０ｂから上下に移動して不用意に脱落することがなく、回転自在に装着することが可能である。
【００１７】
固定金具１６は図５（ａ），（ｂ）に示すように、周縁に２本の円弧状のアーム１６ａ，１６ａを形成した馬蹄形状であり、両アーム１６ａ，１６ａの間に上下に貫通する切欠部１６ｂが形成され、該切欠部１６ｂと向かい合う位置に形成された凹部１６ｃに、ボルト１１が挿通する大きさの挿通孔１６ｄを穿設し、前記切欠部１６ｂには、給水配管１２及び給湯配管１３が上下に挿通する。そしてこの固定金具１６はボルト１１を凹部１６ｃに挿通させた後に、ナット１７をボルト１１に締結することで、混合水栓３を天板１に固定できるものである。なお、本実施例の固定金具は馬蹄形状であるが、通常の円盤型の固定金具を混合水栓の下部に螺着して固定してもよい。
【００１８】
前記給水配管１２及び給湯配管１３には図１乃至図３に示すように、入口孔１２ａ，１３ａと出口孔１２ｂ，１３ｂの中心軸が偏心するように折り曲げた折曲部１２ｃ，１３ｃが一端に形成され、該折曲部１２ｃ，１３ｃの下部に結合部１２ｄ，１３ｄが形成されている。該結合部１２ｄ，１３ｄの先端には、後述するクリップ２０を装着するためのフランジ１２ｅ，１３ｅが環状に形成されている。このように、給水管及び給湯管は折曲部が形成されているので、両管を互いに回転させると、互いの入口孔の間隔を広げることができるものである。
【００１９】
図１に示すように、水又は湯を水栓へ供給するための水側通水管１８，湯側通水管１８ａは、床板から混合水栓３に向けて垂直方向に立ち上がり、上流側を給水源又は給湯源に連通して、下流側の先端は管継手１９，１９に挿入するのみでワンタッチで接続するものである。
【００２０】
前記管継手１９は略円筒状で、一方の先端に前記配管１２，１３に形成された環状のフランジ１２ｅ，１３ｅと略同一形状のフランジ１９ａが形成されている。
【００２１】
前記クリップ２０は弾性力を有する一枚の金属材を折曲して形成され、中央部に一対の長孔２０ａ，２０ａが形成されており、配管１２，１３のフランジ１２ｅ，１３ｅと管継手１９のフランジ１９ａとを当接させて両フランジを長孔２０ａ，２０ａ内に嵌めこんで挟持し、両物品をワンタッチで離脱不能に接続することができるものである。
【００２２】
次に、混合水栓の天板への固定手順を説明する。図４（ａ），（ｂ）に示すように、混合水栓３は天板１の上部から取付孔２に、給水配管１２と給湯配管１３とを挿通させて天板１の下部に露出させる。この場合、給水配管１２と給湯配管１３とは、折曲部１２ｃ，１３ｃが天板１に当たることがなく、取付孔２を通過できるように回転させて、互いに接近させておく。
【００２３】
次に図５（ａ），（ｂ）及び図７に示すように、天板１の下部で固定金具１６の切欠部１６ｂに給水配管１２と給湯配管１３とを挿通させ、固定金具１６を天板１の下部に当接させた後に、ナット１７を混合水栓２の底面部９から垂下したボルト１１に締結することにより、固定金具１６と本体４との間に天板１が挟着され、混合水栓３は天板１に固定される。
【００２４】
そして、図６（ａ），（ｂ）に示すように、天板１の下部で水側と湯側の両管継手１９，１９の間隔に合わせて給水配管１２と給湯配管１３とを回転させる。このように、天板１の下部で給水配管１２と給湯配管１３とを混合水栓３に対し回転させれば、両配管１２，１３の入口孔１２ａ，１３ａの間隔が広がり、水側と湯側の両管継手１９，１９の間隔と同一とすることができ、別に用意したクリップ２０により両配管１２，１３と管継手１９，１９とを容易に接続させることができるものである。
【００２５】
以上のように本発明では、給水配管及び給湯配管は入口孔と出口孔との軸心が異なるように形成されており、しかも両配管は混合水栓に対して回転自在に装着されているので、天板の小径の取付孔に両配管を挿通させることができるうえ、両配管は取付孔を挿通させた後に回転させれば、両配管の入口孔の間隔を取付孔より広くすることができ、水側と湯側の管継手の間に間隔があっても容易に接続することができるものである。
【００２６】
なお、この発明は実施例のようなシングルレバー式の混合水栓に限らず、２ハンドル式の混合水栓又はサーモスタット式の混合水栓などその他の混合水栓にも実施可能である。
【００２７】
【発明の効果】
本発明は、天板の上部に固定される混合水栓と、天板の下部で左右の間隔を設けて立ち上がる水側通水管及び湯側通水管とを、天板に穿設された取付孔を挿通する給水配管と給湯配管とにより接続するようにした混合水栓の配管接続構造において、前記給水配管と給湯配管は入口孔と出口孔との軸心が異なるように形成し、混合水栓の底面部に対し回転自在に装着した。従って、天板の取付孔は小径のままで、給水配管及び給湯配管を折り曲げなくても、回転させるのみで混合水栓と通水管とを天板の下部で容易に接続でき、施工性が大幅に向上させることができる。
【図面の簡単な説明】
【図１】本発明による混合水栓の配管接続構造の正面図である。
【図２】混合水栓の分解斜視図である。
【図３】図２の混合水栓の組み立てた状態の説明図である。
【図４】混合水栓を天板に固定する場合の説明図で、（ａ）は給水配管及び給湯配管を天板の取付孔に挿通した状態の正面図であり、（ｂ）は（ａ）の底面図である。
【図５】（ａ）は固定金具により混合水栓を固定した状態の説明図で、（ｂ）は（ａ）の底面図である。
【図６】（ａ）は図５の混合水栓において、給水配管及び給湯配管を回転させた状態の説明図で、（ｂ）は（ａ）の底面図である。
【図７】混合水栓が天板に固定された状態の側面図である。
【図８】従来技術の説明図である。
【図９】図８の混合水栓を天板に固定する場合の説明図である。
【符号の説明】
１　　　　　　天板
３　　　　　　混合水栓
１２　　　　　給水配管
１２ａ　　　　入口孔
１２ｂ　　　　出口孔
１２ｃ　　　　折曲部
１３　　　　　給湯配管
１３ａ　　　　入口孔
１３ｂ　　　　出口孔
１３ｃ　　　　折曲部
１８　　　　　水側通水管
１８ａ　　　　湯側通水管
【図１】
2004019254.tif 000003
【図２】
2004019254.tif 000004
【図３】
2004019254.tif 000005
【図４】
2004019254.tif 000006
【図５】
2004019254.tif 000007
【図６】
2004019254.tif 000008
【図７】
2004019254.tif 000009
【図８】
2004019254.tif 000010
【図９】
2004019254.tif 000011